(57)【要約】【課題】ビデオコンテンツを保持するスペースを確保する必要もなく、短時間で人件費をかけることのない、ビデオコンテンツ販売システムを提供する。【解決手段】ビデオ媒体書込装置と管理サーバとが通信回線を介して接続されたビデオコンテンツ販売システムであって、前記ビデオ媒体書込装置は、ビデオコンテンツを収録する手段と、前記ユーザが持参したコンテンツ書込可能記録媒体が、予め会員専用に配布したコンテンツ書込可能記録媒体か否かを判断する手段と、前記ユーザにパスワードを入力させる手段と、前記ユーザに前記ビデオコンテンツを選択させる手段と、前記ユーザが持参したコンテンツ書込可能記録媒体が、予め会員専用に配布したコンテンツ書込可能記録媒体であり、かつ、前記入力されたパスワードにより前記ユーザが正当な会員として判断された場合に、前記ユーザが選択した前記ビデオコンテンツを、前記ユーザが持参した前記コンテンツ書込可能記録媒体に書込む手段とを有する。【選択図】図１
2007249437.tif 000002
【特許請求の範囲】
【請求項１】
ビデオ媒体書込装置と管理サーバとが通信回線を介して接続されたビデオコンテンツ販売システムであって、
前記ビデオ媒体書込装置は、ビデオコンテンツを収録する手段と、
前記ユーザが持参したコンテンツ書込可能記録媒体が、予め会員専用に配布したコンテンツ書込可能記録媒体か否かを判断する手段と、
前記ユーザにパスワードを入力させる手段と、
前記ユーザに前記ビデオコンテンツを選択させる手段と、
前記ユーザが持参したコンテンツ書込可能記録媒体が、予め会員専用に配布したコンテンツ書込可能記録媒体であり、かつ、前記入力されたパスワードにより前記ユーザが正当な会員として判断された場合に、前記ユーザが選択した前記ビデオコンテンツを、前記ユーザが持参した前記コンテンツ書込可能記録媒体に書込む手段とを有することを特徴とするビデオコンテンツ販売システム。
【発明の詳細な説明】
【技術分野】
【０００１】
本発明は、ビデオコンテンツ販売システムに係り、特に、ビデオ媒体書込装置により、コンテンツを選択し、その場で会員専用のコンテンツ書込可能記録媒体に書込み販売するビデオコンテンツの販売方法に関する。
【背景技術】
【０００２】
従来、ビデオコンテンツを販売する方法としては、ＶＨＳビデオテープ、あるいは、読み取り専用ＤＶＤ（Digital Versatile Disc）に記録されたビデオコンテンツを、商品として店頭で販売する方法が主流である。
【発明の開示】
【発明が解決しようとする課題】
【０００３】
ＶＨＳビデオテープ、あるいは、読み取り専用ＤＶＤに記録されたビデオコンテンツを、商品として店頭で販売する方法によれば、店頭に商品をそのまま置いているため、在庫のないビデオコンテンツは発売できない、また不要な在庫を抱えるという問題があった。
本発明は、前記従来技術の問題点を解決するためになされたものであり、本発明の目的は、ビデオコンテンツを保持するスペースを確保する必要もなく、短時間で人件費をかけることのない、ビデオコンテンツ販売システムを提供することにある。
本発明の前記ならびにその他の目的と新規な特徴は、本明細書の記述及び添付図面によって明らかにする。
【課題を解決するための手段】
【０００４】
本願において開示される発明のうち、代表的なものの概要を簡単に説明すれば、下記の通りである。
前述の目的を達成するために、本発明は、ビデオ媒体書込装置と管理サーバとが通信回線を介して接続されたビデオコンテンツ販売システムであって、前記ビデオ媒体書込装置は、ビデオコンテンツを収録する手段と、前記ユーザが持参したコンテンツ書込可能記録媒体が、予め会員専用に配布したコンテンツ書込可能記録媒体か否かを判断する手段と、前記ユーザにパスワードを入力させる手段と、前記ユーザに前記ビデオコンテンツを選択させる手段と、前記ユーザが持参したコンテンツ書込可能記録媒体が、予め会員専用に配布したコンテンツ書込可能記録媒体であり、かつ、前記入力されたパスワードにより前記ユーザが正当な会員として判断された場合に、前記ユーザが選択した前記ビデオコンテンツを、前記ユーザが持参した前記コンテンツ書込可能記録媒体に書込む手段とを有することを特徴とする。
即ち、本発明においては、各支店にビデオ媒体書込装置を設置し、ビデオ媒体書込装置にビデオコンテンツの実体を収録するとともに、メニュー表示画面とメニュー選択ボタンにより、ユーザが希望するコンテンツを選択できる手段を設け、ユーザが持参したコンテンツ書込可能記録媒体が、予め会員専用に配布したコンテンツ書込可能記録媒体であり、かつ、入力されたパスワードによりユーザが正当な会員として判断された場合に、前記ユーザが前記コンテンツメニューから選択したコンテンツを、会員が持参したコンテンツ書込可能記録媒体に書込み販売する。
【発明の効果】
【０００５】
本願において開示される発明のうち代表的なものによって得られる効果を簡単に説明すれば、下記の通りである。
本発明によれば、ビデオコンテンツを保持するスペースを確保する必要もなく、短時間で人件費をかける必要もないビデオコンテンツ販売システムを提供することが可能となる。
【発明を実施するための最良の形態】
【０００６】
以下、図面を参照して本発明の実施例を詳細に説明する。
なお、実施例を説明するための全図において、同一機能を有するものは同一符号を付け、その繰り返しの説明は省略する。
図１は、本発明の実施例のビデオコンテンツ販売システムの概略構成を示すブロック図である。
同図において、１０は本店に配置される管理サーバ、１１はネットワーク（例えば、ＩＰネットワーク）、１００は各支店に配置されるビデオ媒体書込装置である。
図１−１は、本実施例のビデオ媒体書込装置１００の概略構成を示すブロック図である。
同図において、１０１は通信回線、１０２はトランスミッタ／レシーバ、１０３はビデオ媒体書込装置１００の中枢をコントロールする制御部、１０４はコンテンツ書込可能記録媒体に対して読取、書込みを行うコンテンツ書込可能記録媒体・読取／書込み部、１０５はコンテンツ書込可能記録媒体の出入口、１０６はコンテンツ書込可能記録媒体自体にビデオコンテンツの書込みを制御する書込み制御部、１０７は主記憶装置部、１０８は画面からのキーボード操作用制御部、１０９は頻繁に販売されるビデオコンテンツおよび再生用アプリケーションやデータベースを格納する補助記憶装置部、１１０ビデオ媒体書込装置全体に電源を供給する電源部、１１１は精算用現金投入口、１１２は入出金制御部である。
【０００７】
図２は、本実施例のコンテンツ書込可能記録媒体の記録フォーマットを示す図である。
同図に示すように、本実施例のコンテンツ書込可能記録媒体の記録フォーマット２００は、コンテンツ書込可能記録媒体を発行した店番情報２０１、コンテンツ書込可能記録媒体発行年月日情報２０２、顧客識別番号２０３、最新購入情報２０４、ビデオコンテンツ再生アプリケーション２０５、ビデオコンテンツ情報（２０６，２０７）から構成される。
コンテンツ書込可能記録媒体に格納されているビデオコンテンツ情報（２０６，２０７）は、コンテンツ書込可能記録媒体に格納されている再生アプリケーション２０５を介して、パーソナルコンピュータ（ＰＣ）や、対応プレイヤーなどを使い鑑賞することができる。
図３は、本実施例のビデオ媒体書込装置に表示される販売用メニュー画面を説明する図であり、同図において、３０１はビデオコンテンツ販売の端末装置タイトル部、３０２はビデオコンテンツ販売の操作ガイド、情報表示部を示す。
図４は、本実施例のビデオ媒体書込装置のタッチパネルを使用して文字入力を説明する図であり、４０１は情報入力部、４０２はパスワード入力フィールド、４０３はパスワード入力用キーボードである。
【０００８】
図５Ａ〜図５Ｄは、本実施例のビデオ媒体書込装置の処理手順を示すフローチャートである。以下、図１〜５を用いて、本実施例のビデオコンテンツ記録媒体書込装置を用いて、ビデオコンテンツを選択し、その場で会員専用コンテンツ書込可能記録媒体に書込み販売する方法について説明する。
先ず、新規会員登録時について説明する。
取引発生を検出すると（ステップ５０１）、コンテンツ書込可能記録媒体の出入口１０５に、コンテンツ書込可能記録媒体が挿入された否かを判断する（ステップ５０２）。
ステップ５０２において、ＮＯの場合は、即ち、図３の画面において、新規会員登録を選択した場合は、新規会員登録処理を行う（ステップ５１６）。
次に、新規会員用に新規パスワードを設定した後（ステップ５１７、５１８）、新規会員用のコンテンツ書込可能記録媒体に対する販売金額を表示する（ステップ５１９、５１９）。
次に、精算用現金投入口１１１から指定された金額が投入された否かを判断し（ステップ５２０）、ステップ５２１でＹＥＳの場合は、新規にコンテンツ書込可能記録媒体を初期化し、コンテンツ書込可能記録媒体出入口１０５から排出する（ステップ５２２）。
ここで、ステップ５２２では、コンテンツ書込可能記録媒体にユニークに採番した顧客番号を登録し提供する。
【０００９】
次に、ビデオコンテンツの販売方法について説明する。
ステップ５０２において、ＹＥＳの場合は、即ち、図３の画面において、ユーザがビデオコンテンツ販売を選択した場合、ユーザは、持参した会員専用のコンテンツ書込可能記録媒体を、コンテンツ書込可能記録媒体の出入口１０５に挿入する。
コンテンツ書込可能記録媒体が挿入されると、挿入されたコンテンツ書込可能記録媒体が本システムで使用するコンテンツ書込可能記録媒体か否かを判定する（ステップ５０３）。
このステップ５０３では、コンテンツ書込可能記録媒体に格納されている店番情報、コンテンツ書込可能記録媒体発行年月日情報、顧客識別番号を元に、正常なコンテンツ書込可能記録媒体か否かを判定する。
ステップ５０３において、ＹＥＳの場合には、パスワードの入力を要求する（ステップ５０４）。パスワード入力においては、図４に示す画面を表示し、ユーザは、タッチパネル形式によりパスワードを入力する。
ステップ５０４において、入力されたパスワードが正しいと判定した場合には、会員専用のビデオコンテンツ販売メニューを表示する（ステップ５０６）。
仮に、パスワードが登録されているパスワードと一致していなければ、再度パスワードの入力を要求する。なお、このステップ５０４においては、管理サーバ１０に格納されているパスワードと、入力されたパスワードとが一致しているときに、入力されたパスワードが正しいと判定する。
なお、パスワードの入力を要求することにより、コンテンツ書込可能記録媒体の盗難、紛失などにより、当該コンテンツ書込可能記録媒体の所有者以外の者が、当該コンテンツ書込可能記録媒体を使用するのを防止することができる。
【００１０】
ユーザは、画面に表示される会員専用のビデオコンテンツ販売メニューから、ビデオコンテンツ販売か販売履歴の表示かを選択する。
ユーザが、会員専用のビデオコンテンツ販売メニューから、ビデオコンテンツ販売を選択したか否かを判定し（ステップ５０７）、ステップ５０７において、ＹＥＳの場合、画面に、ビデオコンテンツのジャンル選択、あるいは、タイトル（部分検索）を入力するメニューを表示する。ここで、ジャンルはプルダウン形式で指定し、タイトル（部分検索）はパスワード入力と同様、画面に表示したキーボードより入力する。
次に、画面に、指定されたジャンル、あるいは、入力されたタイトルなどの条件を元に、補助記憶装置部１０９に格納されているビデオコンテンツの一覧を表示する（ステップ５０９）。
次に、ビデオコンテンツが選択されたか否かを判定し（ステップ５１０）、ステップ５１０で、ＮＯの場合は、ステップ５０８に戻る。また、ステップ５１０で、ＹＥＳの場合は、選択したビデオコンテンツの料金を表示する（ステップ５１１）。
次に、表示された金額で購入を希望する否かを判定し（ステップ５１２）、ステップ５１２で、ＮＯの場合は、ステップ５０８に戻る。
また、ステップ５１２で、ＹＥＳの場合は、精算用現金投入口１１１より、指定された金額が投入されたか否かを判定する（ステップ５１３）。
【００１１】
ステップ５１３において、ＹＥＳの場合は、即ち、投入された金額とビデオコンテンツの金額が一致した場合に、ビデオコンテンツをコンテンツ書込可能記録媒体に書き込み（ステップ５１４）、コンテンツ書込可能記録媒体を、コンテンツ書込可能記録媒体の出入口１０５より排出する（ステップ５１５）。 また、販売履歴を管理サーバ１０に転送する。
ステップ５０７において、ＮＯの場合、即ち、ユーザが、会員専用のビデオコンテンツ販売メニューから、販売履歴を選択した場合には、コンテンツ書込可能記録媒体に記録されている顧客識別番号（会員ＩＤ）を元に、管理サーバ１０へ問い合わせを行い、販売履歴を画面に表示する（ステップ５２３、５２４）。
以上説明したように、本実施例では、店頭に配置されるビデオ媒体書込装置から、コンテンツ書込可能記録媒体に、ビデオコンテンツを書き込む（あるいは、転送する）だけでよいので、ＶＨＳテープ、ＤＶＤなどの媒体の商品を、在庫として保持する必要がなくなる。したがって、商品の売り切れによる販売チャンスを逃すこともなくなる。
また、ユーザも、自分のコンテンツ書込可能記録媒体を使用することにより、特定の場所を選ぶことなく鑑賞することができる。
以上、本発明者によってなされた発明を、前記実施例に基づき具体的に説明したが、本発明は、前記実施例に限定されるものではなく、その要旨を逸脱しない範囲において種々変更可能であることは勿論である。
【図面の簡単な説明】
【００１２】
【図１】本発明の実施例のビデオコンテンツ販売システムの概略構成を示すブロック図である。
【図１−１】本発明の実施例のビデオ媒体書込装置の概略構成を示すブロック図である。
【図２】本発明の実施例のコンテンツ書込可能記録媒体の記録フォーマットを示す図である。
【図３】本発明の実施例のビデオ媒体書込装置の販売用メニュー画面を説明する図である。
【図４】本発明の実施例のビデオ媒体書込装置のタッチパネルを使用しての文字入力を説明する図である。
【図５Ａ】本発明の実施例のビデオ媒体書込装置の処理手順を示すフローチャートである。
【図５Ｂ】本発明の実施例のビデオ媒体書込装置の処理手順を示すフローチャートである。
【図５Ｃ】本発明の実施例のビデオ媒体書込装置の処理手順を示すフローチャートである。
【図５Ｄ】本発明の実施例のビデオ媒体書込装置の処理手順を示すフローチャートである。
【符号の説明】
【００１３】
１０  管理サーバ
１１  ネットワーク
１００  ビデオ媒体書込装置
１０１  インターネットに接続するための通信回線
１０２  トランスミッタ／レシーバ
１０３  ビデオ媒体書込装置
１０４  コンテンツ書込可能記録媒体・読取／書込み部
１０５  コンテンツ書込可能記録媒体の出入口
１０６  ビデオコンテンツの書込み制御部
１０７  主記憶装置部
１０８  キーボード操作用制御部
１０９  補助記憶装置部
１１０  電源部
１１１  精算用現金投入口
１１２  入出金制御部
２００  コンテンツ書込可能記録媒体ビデオコンテンツ記録フォーマット
２０１  店番情報
２０２  コンテンツ書込可能記録媒体発行年月日情報
２０３  顧客識別番号
２０４  最新購入情報
２０５  ビデオコンテンツ再生アプリケーション
２０６  ビデオコンテンツ
２０７  ビデオコンテンツ
３０１  ビデオコンテンツ販売の端末装置タイトル部
３０２  ビデオコンテンツ販売の操作ガイド、情報表示部
４０１  情報入力部
４０２  パスワード入力フィールド
４０３  パスワード入力用キーボード
【図１】
2007249437.tif 000003
【図１−１】
2007249437.tif 000004
【図２】
2007249437.tif 000005
【図３】
2007249437.tif 000006
【図４】
2007249437.tif 000007
【図５Ａ】
2007249437.tif 000008
【図５Ｂ】
2007249437.tif 000009
【図５Ｃ】
2007249437.tif 000010
【図５Ｄ】
2007249437.tif 000011